(57)【要約】      （修正有）【課題】芸術品、装飾品を回転展示するための回転盤装置の提供。【解決手段】該回転盤装置は、芸術品、装飾品１０を設置する回転ベース２１を、低速モータ３０で低速で駆動回転させ、該回転ベース上に置かれた芸術品、装飾品を低速で回転させ、展示或いは鑑賞の芸術的気分を達成する。芸術品、装飾品の底端の回転ベースと低速モータの間に固定盤体２２が設けられ、芸術品、装飾品の全体的な高級感と美観を高める。該固定盤体内の適宜位置に、表示部品が固定され、適宜照明装置２３により回転中の芸術品、装飾品を投射し、芸術品、装飾品の芸術的美観と商業価値を具備させ、生活空間の芸術的雰囲気を満足させる。【選択図】図１
0003170453.tif 000002
【実用新案登録請求の範囲】
【請求項１】
回転盤装置において、低速モータ、固定盤体、回転ベースを包含し、
該回転ベースの底端の適宜位置にベース凸柱が延伸設置され、該ベース凸柱にベース凹孔が凹設され、
該低速モータの上端にモータ軸心が凸設され、該モータ軸心に軸心穿孔が穿たれ、該回転ベースのベース凹孔の両側に該軸心穿孔に対応する軸心穿孔が穿たれ、
該固定盤体の底部の中心位置に盤体挿入孔が穿たれて該回転ベースのベース凸柱が挿入され、さらに該低速モータのモータ軸心が挿入され、
挿入物が該回転ベースの軸心穿孔に挿入されてから該モータ軸心の対応する軸心穿孔に挿入されて、該回転ベースと該低速モータのモータ軸心が組み合わされて固定され、芸術品、装飾品が該回転ベース上に置かれ、回転展示に供されることを特徴とする、回転盤装置。
【請求項２】
回転盤装置において、低速モータ、回転ベースを包含し、
該低速モータの上端にモータ軸心が凸設され、該モータ軸心に軸心穿孔が穿たれ、
該回転ベースの底端の適宜位置にベース凸柱が凸設され、該ベース凸柱にベース凹孔が凹設され、該低速モータのモータ軸心が挿入され、該ベース凹孔の両側に該モータ軸心の軸心穿孔に対応する軸心穿孔が穿たれ、
挿入物が該回転ベースの軸心穿孔に挿入されてから該モータ軸心の対応する軸心穿孔に通され、これにより該回転ベースと該低速モータのモータ軸心が相互に対応して組み合わされて固定され、芸術品、装飾品が該回転ベース上に置かれ、回転展示に供されることを特徴とする、回転盤装置。
【請求項３】
請求項１記載の回転盤装置において、該固定盤体内の適宜位置に、少なくとも一つの照明装置が固定され、光線を芸術品、装飾品に投射することを特徴とする、回転盤装置。
【請求項４】
請求項１又は２記載の回転盤装置において、芸術品、装飾品が瓶状の芸術品、骨董、立体仏像、工芸品、美術品、招き猫、クリスマスツリー、動物彫像、デジタルテクノロジー製品のいずれかとされることを特徴とする、回転盤装置。
【請求項５】
請求項３記載の回転盤装置において、該照明装置がＬＥＤ或いはバルブとされることを特徴とする、回転盤装置。
【請求項６】
請求項１記載の回転盤装置において、該芸術品、装飾品の外周に環状に嵌合装飾品が嵌合され、該嵌合装飾品の上端の適宜位置に穿孔が穿たれ、該嵌合装飾品の側端の適宜位置に少なくとも一つの窓が開設され、該嵌合装飾品の最底端に芸術品、装飾品の外周直径よりも大きな嵌合孔が穿たれ、該嵌合孔に上から下に芸術品、装飾品の外周に嵌合されて固定盤体上に直接置かれ、これにより変化が豊かで立体感のある動態芸術視覚効果を形成することを特徴とする、回転盤装置。
【請求項７】
請求項１記載の回転盤装置において、該固定盤体の底部に盤体底座が設置されたことを特徴とする、回転盤装置。
【考案の詳細な説明】
【技術分野】
【０００１】
本考案は一種の回転盤装置に係り、特に、芸術品、装飾品を設置して回転表示し、芸術品、装飾品を動態回転させる時に、鑑賞の芸術価値と芸術的な美観の雰囲気を具備させる回転盤装置に関する。
【背景技術】
【０００２】
現在、芸術品、装飾品の設置には多くの突破できない欠点がある。通常、芸術品、装飾品を設置する時は、固定位置に設置するだけであり、鑑賞の角度は固定されて不変とされ、人はその全体の美的価値を観ることができず、芸術品、装飾品が完全には各種鑑賞の角度で展示されないためにその美観と価値性が大幅に損なわれる。もし、全体を鑑賞しようとすれば、手にとらねばならず、手にとると、芸術品、装飾品に手の汚れが付着するのみならず、不注意から地上に落ちると、芸術品、装飾品を毀損することになり、厳重な損失を形成する。
以上が各種の芸術品、装飾品を設置する上で長らく突破できない欠点である。
【考案の概要】
【考案が解決しようとする課題】
【０００３】
本考案の主要な目的は、芸術品、装飾品を回転展示するための回転盤装置を提供し、回転の動態効果により、芸術品設置の視覚美観と価値性を高め、芸術品に最高の芸術質感を表現させることにある。
【０００４】
本考案の別の目的は、芸術品、装飾品を回転展示するための回転盤装置を提供し、３６０度回転の効果により、鑑賞者の鑑賞、芸術品の外観を清潔に維持し芸術品を完全に保護するのに便利で、産業上の利用価値を増すことにある。
【０００５】
本考案の次に重要な目的は、芸術品、装飾品の回転展示と鑑賞のための回転盤装置を提供し、該回転盤装置の固定盤体内の適宜位置に光線を投射して回転中の芸術品、装飾品に光線を投射する照明装置があり、芸術品の芸術的雰囲気を設置空間全体に充満させ、視覚上の雰囲気を満足させて、芸術品の商業価値を高めることにある。
【課題を解決するための手段】
【０００６】
本考案の提供する回転盤装置は、低速モータ、固定盤体、回転ベース、少なくとも一つの照明装置を包含する。該回転ベースの底端の適宜位置にベース凸柱が延伸設置され、該ベース凸柱にベース凹孔が凹設される。該固定盤体の底部の中心位置に盤体挿入孔が穿たれる。該低速モータの上端にモータ軸心が凸設され、該モータ軸心に軸心穿孔が穿たれ、該回転ベースのベース凹孔の両側に該軸心穿孔に対応する軸心穿孔が設けられる。該回転ベースの底端のベース凸柱は先に固定盤体の底部の中心位置の盤体挿入孔に挿入された後、該ベース凹孔がさらに下向きに低速モータのモータ軸心に嵌合され、これによりモータ軸心の軸心穿孔と回転ベースのベース凹孔の軸心穿孔がアラインされた後、さらに挿入物が回転ベースの軸心穿孔に通されてから低速モータの軸心穿孔に通されて、両者が相互に組み合わされて固定される。該少なくとも一つの照明装置は固定盤体内に固定され、光線を芸術品、装飾品に投射する。
【考案の効果】
【０００７】
本考案によると、任意の芸術品、装飾品が該回転ベース上に置かれる時、該芸術品、装飾品と固定盤体は全体の芸術的な視覚効果を高め、最高の芸術の質感を現出する目的を達成し、さらに回転の機能により鑑賞者が鑑賞し、芸術品の外観を清潔に維持し及び芸術品を完全に保護するのに便利で、産業上の利用価値を増す。
【図面の簡単な説明】
【０００８】
【図１】本考案の回転盤装置に芸術品、装飾品を置いた正面図（一）である。
【図２Ａ】本考案の回転ベースと低速モータの組合せの立体図（一）である。
【図２Ｂ】本考案の回転ベースと低速モータの組合せの立体図（二）である。
【図２Ｃ】本考案の低速モータのモータ軸心の立体図（一）である。
【図２Ｄ】本考案の低速モータのモータ軸心の立体図（二）である。
【図２Ｅ】本考案の芸術品、装飾品、回転ベースと固定盤体及び低速モータの分解図である。
【図２Ｆ】本考案の回転盤装置に芸術品、装飾品を置いた組合せ透視図である。
【図３】本考案の回転盤装置に芸術品、装飾品を置いた立体図（一）である。
【図４】本考案の回転盤装置に芸術品、装飾品を置いた立体図（二）である。
【図５Ａ】本考案の照明装置を周知のＬＥＤとした側面図である。
【図５Ｂ】本考案の照明装置を周知のバルブとした側面図である。
【図６Ａ】本考案の回転盤装置に芸術品、装飾品を置いた正面図（二）である。
【図６Ｂ】本考案の回転盤装置に芸術品、装飾品を置いた正面図（三）である。
【図６Ｃ】本考案の回転盤装置に芸術品、装飾品を置いた正面図（四）である。
【図７Ａ】本考案の回転盤装置に芸術品、装飾品を置いた後にさらに嵌合装飾品を嵌合した分解図である。
【図７Ｂ】本考案の回転盤装置に芸術品、装飾品を置いた後にさらに嵌合装飾品を嵌合した組合せ図である。
【考案を実施するための形態】
【０００９】
本考案の技術内容、構造特徴、達成する目的を詳細に説明するため、以下に実施例を挙げ並びに図面を組み合わせて説明する。
【００１０】
図１は固定盤体２２上の芸術品、装飾品１０の回転展示に運用され、該芸術品、装飾品１０は回転ベース２１の上端に設置され、そのうち、回転ベース２１の底端よりベース凸柱２１１が延伸され、該ベース凸柱２１１にベース凹孔が凹設されて低速モータ３０の軸心が接続固定される。低速モータが電気的に起動される時、該モータ軸心の回転により回転ベース２１がそれに伴い回転する。そのうち、低速モータ３０と回転ベース２１は固定盤体２２を貫通して結合され、該固定盤体２２の底部に盤体底座５０が設置され、固定盤体２２の底部に盤体底座５０が設置され、固定盤体２２を支持するのに用いられ、少なくとも一つの照明装置２３が固定盤体２２内の適宜位置に固定され、該照明装置２３は芸術品、装飾品１０に直接光線を投射し、回転中の芸術品、装飾品１０に更に色彩と芸術価値を高める。そのうち、照明装置２３は表示ベース２３５上に固定され、電気的に導通されて光線を投射する。本考案の芸術品、装飾品１０は立体仏像とされ得る。
【００１１】
図２Ａ、図２Ｂ、図２Ｃ、図２Ｄ、図２Ｅ、図２Ｆを参照されたい。本考案の回転ベース２１の底端の適宜位置にベース凸柱２１１が凸設され、該ベース凸柱２１１にベース凹孔２１２が凹設される。低速モータ３０の上端にモータ軸心３１が設けられ、該モータ軸心３１に軸心穿孔３１１が穿たれ、回転ベース２１のベース凹孔２１２の両側に該軸心穿孔３１１に対応する軸心穿孔２１３が穿たれ、回転ベース２１のベース凹孔２１２と低速モータ３０のモータ軸心３１が組み合わせる時、挿入物２４が回転ベース２１の軸心穿孔２１３に挿入されてから低速モータ３０の軸心穿孔３１１の穿孔内部に通され、これにより、回転ベース２１と低速モータ３０のモータ軸心３１が正確に相互に対応し組み合わされる。
【００１２】
本考案の低速モータ３０の上端のモータ軸心３１は図２Ｃのように、低速モータ３０の上端の中央に設置され、また、図２Ｄに示されるように、モータ軸心３１が低速モータ３０の上端の側方に設置される。
【００１３】
図２Ｅの別の実施例に示されるように、回転ベース２１の底部のベース凸柱２１１はさきに固定盤体２２底部の中心位置の盤体挿入孔２２１に挿入された後、さらに下向きに低速モータ３０のモータ軸心３１に挿入され、低速モータ３０のモータ軸心３１が回転ベース２１のベース凹孔２１２内に挿入され並びに対応する軸心穿孔２１３が突き合わされて、挿入物２４が回転ベース２１の軸心穿孔２１３に挿入されてから低速モータ３０の軸心穿孔３１１に挿入され、両者が組み合わされ固定される。
【００１４】
本考案の挿入物２４はピン、或いはネジ、ボルトとされ得る。任意の芸術品、装飾品１０が回転ベース２１の上に置かれる時、該芸術品、装飾品１０は回転ベース２１の回転に伴いゆっくりと回転し、これにより、芸術品、装飾品１０と固定盤体２２は全体の芸術的視覚効果は現出する。
【００１５】
図３に示されるように、本考案の芸術品、装飾品１０は回転ベース２１の上に置かれた後、低速モータ３０のモータ軸心３１の回転に伴い、該回転ベース２１もそれに伴い回転し、これにより、回転ベース２１上の芸術品、装飾品１０も同一方向に低速回転する。そのうち、本考案の芸術品、装飾品１０と回転ベース２１及び低速モータ３０のモータ軸心３１の回転方向はいずれも時計周りの方向とされるか、或いは逆時計周りの方向とされる。本考案の芸術品、装飾品１０は芸術品の花瓶とされてもよい。
【００１６】
図４は本考案の芸術品、装飾品１０の回転盤装置の立体表示図である。そのうち、固定盤体２２は盤体底座５０上に固定されて、静止状態を呈する。該芸術品、装飾品１０及び回転ベース２１は低速モータ３０のモータ軸心３１に伴い回転する。
【００１７】
本考案の固定盤体２２内の適宜位置には照明装置２３が設けられ、該照明装置２３は光線を芸術品、装飾品１０に投射する効果を有し、芸術品、装飾品１０にさらに視覚的に鮮やかな特殊な美観効果を具備させる。
【００１８】
図５Ａ、図５Ｂに示されるのは、本考案の照明装置２３の照明装置は周知のＬＥＤ２３１とされ得るほか、周知のバルブ２３２とされ得て、いずれも光線を芸術品、装飾品１０に投射できる。そのうち、周知のＬＥＤ２３１、周知のバルブ２３２はいずれも各種の異なる色彩のＬＥＤ光源或いはバルブ光源とされる。
【００１９】
図６Ａ、図６Ｂ、図６Ｃに示されるように、本考案の芸術品、装飾品１０は任意の各種芸術品、装飾品１０とされ得て、その造形は、花瓶状の芸術品、骨董、立体仏像、芸術品、美術品、招き猫、クリスマスツリー、動物の彫像、デジタルテクノロジー製品等の、各種の異なる周知の芸術品、装飾品１０とされ得て、いずれも回転ベース２１上に設置されて、本考案の回転盤装置の構造を利用し、各種の芸術品、装飾品１０はいずれも低速モータ３０のモータ軸心３１の回転により、該回転ベース２１が回転させられ、展示する芸術品、装飾品の美観を増し、さらに照明装置２３の照明の投射が組み合わされて、視覚及び空間の芸術的雰囲気が高められる。
【００２０】
図７Ａ、図７Ｂに示されるように、本考案の芸術品、装飾品１０は芸術パターンを有する花瓶とされ、さらに、花瓶の周囲に環状に別の装飾品４０が置かれ、該装飾品４０の上端の適宜位置に穿孔４２が穿たれ、該装飾品４０の側端の適宜位置に少なくとも一つの窓４１が設けられる。該装飾品４０の最底端には芸術品、装飾品１０の外周直径よりも大きな嵌合孔４３が設けられ、これにより、装飾品４０が上からしたに芸術品、装飾品１０の外周に嵌合され、並びに直接固定盤体２２上に設置され、そのうち、固定盤体２２は盤体底座５０上に設置される。該装飾品４０は静止状態とされる。芸術品、装飾品１０がゆっくりと回転する時、芸術品、装飾品１０の回転の角度により装飾品４０の側端の窓４１より該芸術品、装飾品１０である花瓶の表面のパターンを鑑賞でき、これにより豊かで立体感のある視覚上の動態芸術展示効果を達成する。
【００２１】
以上を総合すると、本考案は新規性及び進歩性を有し芸術品或いは装飾品の回転展示による美観と価値性を増し、各種の芸術品、装飾品に最高の芸術質感と立体的な動態の芸術的美観の視覚効果を現出させ、各種の芸術品展示の商業価値を高める。同時に本考案の構造の回転の効果は、鑑賞者の鑑賞、芸術品の維持及び芸術品の完全な保護効果を増し、産業上の利用価値を増す。
【００２２】
本考案の回転盤装置の構造の固定盤体内の適当な位置には、該回転中の芸術品に光線を投射する照明装置が設けられ、これにより芸術品の芸術的雰囲気が展示空間に充満し、本考案の優越性を増す。
【００２３】
総合すると、本考案の構造特徴及び各実施例はいずれもすでに詳細に開示され、十分に本考案が目的及び作用効果上、いずれも深い実施上の進歩性を有し、産業上の利用価値を極めて有することが明かとされ、且つ現在市場にはいまだその運用が見受けられず、特許法の精神の記述に基づき、本考案は完全に実用新案登録の要件に符合する。
【符号の説明】
【００２４】
１０  芸術品、装飾品
２１  回転ベース
２１１  ベース凸柱
２１２  ベース凹孔
２１３  軸心穿孔
２２  固定盤体
２２１  盤体挿入孔
２３  照明装置
２３１  ＬＥＤ
２３２  バルブ
２３５  表示ベース
２４  挿入物
３０  低速モータ
３１  モータ軸心
３１１  軸心穿孔
４０  嵌合装飾品
４１  窓
４２  穿孔
４３  嵌合孔
５０  盤体底座
【図１】
0003170453.tif 000003
【図２Ａ】
0003170453.tif 000004
【図２Ｂ】
0003170453.tif 000005
【図２Ｃ】
0003170453.tif 000006
【図２Ｄ】
0003170453.tif 000007
【図２Ｅ】
0003170453.tif 000008
【図２Ｆ】
0003170453.tif 000009
【図３】
0003170453.tif 000010
【図４】
0003170453.tif 000011
【図５Ａ】
0003170453.tif 000012
【図５Ｂ】
0003170453.tif 000013
【図６Ａ】
0003170453.tif 000014
【図６Ｂ】
0003170453.tif 000015
【図６Ｃ】
0003170453.tif 000016
【図７Ａ】
0003170453.tif 000017
【図７Ｂ】
0003170453.tif 000018